(57)【特許請求の範囲】
【請求項１】
段ボールブランクを押罫線沿いに折り曲げて形成される壁面に切裂帯とその切出部とを設け、切出部から切裂帯を引いて壁面を切断する段ボール箱において、前記切裂帯に沿って表ライナをカットした破止線を入れ、前記切出部を、段ボールの表裏に貫通する全切線の部分と、段ボールの表側から切り込んだ半切線の部分とから形成し、この半切線が前記破止線を斜めに横切るようにしたことを特徴とする切裂帯付き段ボール箱。
【請求項２】
請求項１に記載の段ボール箱を製造するに際し、コルゲータで破止線を入れ、印刷機のダイカットロールで段ボールの裏側から押罫線を入れた後、ダイカッタにセットした抜型の切刃で段ボールの表側からブランク外周を打ち抜くと共に、切出部の全切線及び半切線を入れることを特徴とする段ボール箱の製造方法。
【請求項３】
請求項１に記載の段ボール箱を製造するに際し、コルゲータで破止線を入れた後、ダイカッタにセットした抜型の切刃で段ボールの表側からブランク外周を打ち抜くと共に、切出部の全切線及び半切線を入れ、抜型対向面に取り付けた押具と、抜型の受具とで押罫線を入れることを特徴とする段ボール箱の製造方法。
【請求項４】
請求項１に記載の段ボール箱を製造するに際し、コルゲータで破止線を入れた後、ダイカッタにセットした抜型の切刃及び押刃で段ボールの裏側からブランク外周を打ち抜くと共に、押罫線及び切出部の全切線を入れ、抜型対向面に取り付けた切刃と、抜型の受具とで切出部の半切線を入れることを特徴とする段ボール箱の製造方法。
【請求項５】
請求項１に記載の段ボール箱を製造するに際し、コルゲータのダブルフェーサで表ライナを中芯に貼着する前に切断して、切裂帯に沿った破止線を入れることを特徴とする段ボール箱の製造方法。
【請求項６】
請求項５に記載の段ボール箱の製造方法において、表ライナの表側から切り込んで破止線を入れることを特徴とする段ボール箱の製造方法。
【請求項７】
請求項１に記載の段ボール箱を製造するに際し、コルゲータで裏ライナを切断して切裂帯を形成し、印刷機のダイカットロール又は他のダイカッタで表ライナを切断して、切裂帯に沿った破止線を入れることを特徴とする段ボール箱の製造方法。
【発明の詳細な説明】
【０００１】
【発明の属する技術分野】
この発明は、開封用の切裂帯を設けた段ボール箱及びその製造方法に関する。
【０００２】
【従来の技術】
一般に、缶ビールの包装には、図１１に示すように、段ボールブランクを押罫線ａ沿いに折り曲げ、各一対の立面板１及び平面板２を継代３を介して連設し、立面板１から延出した内フラップ４と、平面板２から延出した外フラップ５とを貼り合わせて封緘するラップラウンド式の段ボール箱が用いられる。
【０００３】
この段ボール箱の周壁をなす立面板１及び内フラップ４の裏面には、開封用の切裂帯としてカットテープ６が貼着され、その切出部７が立面板１の中央部に設けられている。この切出部７は、段ボールの表裏に貫通するＨ状の全切線８から形成されている。
【０００４】
そして、このような段ボール箱で包装した缶ビールを店頭で陳列する際には、図１２に示すように、切出部７からカットテープ６を引いて立面板１及び内フラップ４を切断し、図１３に示すように、切断縁の下側をトレー状として、ビールの缶Ｃを露出させる。
【０００５】
【発明が解決しようとする課題】
しかしながら、上記のような段ボール箱では、図１２に示すように、カットテープ６の引っ張りに伴い、段ボールの表層に剥離が生じ、図１３に示す陳列状態において、醜い外観を呈することがある。
【０００６】
そこで、この発明は、開封時における段ボールの表層剥離を防止し、見栄えよく商品を陳列できる段ボール箱を提供しようとするものである。
【０００７】
【課題を解決するための手段】
上記課題を解決するため、この発明に係る段ボール箱は、切裂帯に沿って表ライナをカットした破止線を入れ、切裂帯の切出部を、段ボールの表裏に貫通する全切線の部分と、段ボールの表側から切り込んだ半切線の部分とから形成し、この半切線が破止線を斜めに横切るようにしたのである。
【０００８】
このような段ボール箱では、切出部から切裂帯を引っ張ると、表ライナが半切線から破止線へかけて所定の位置で切断されるので、段ボールの表層剥離が防止され、開封状態で見栄えよく商品を陳列できる。
【０００９】
また、製造時に破止線と切出部の位置がずれても、半切線が破止線に達しているので、表層剥離の防止効果を確実に得ることができ、半切線は段ボールの裏面まで達しないので、開封時に切裂帯が千切れやすくなることもない。
【００１０】
なお、上記段ボール箱の製造に際しては、コルゲータや印刷機のダイカットロール等で破止線を入れ、ダイカッタの抜型やその対向面に切刃等を取り付けて切出部の全切線や半切線を入れるようにすればよい。
【００１１】
【発明の実施の形態】
以下、この発明の実施の形態を添付図面に基づいて説明する。
【００１２】
図１に示す段ボール箱は、従来と同様、段ボールブランクを押罫線ａ沿いに折り曲げ、各一対の立面板１及び平面板２を継代３を介して連設し、立面板１から延出した内フラップ４と、平面板２から延出した外フラップ５とを貼り合わせて封緘するラップラウンド式のものである。
【００１３】
この段ボール箱の周壁をなす立面板１及び内フラップ４の裏面には、開封用の切裂帯としてカットテープ６が貼着され、その切出部７が立面板１の中央部に設けられている。
【００１４】
切出部７は、段ボールの表裏に貫通する全切線８の部分と、表側から切り込んだ半切線９の部分とから形成され、立面板１及び内フラップ４には、カットテープ６の下方に沿って表ライナをカットした破止線１０が設けられている。
【００１５】
破止線１０には、圧縮強度保持のため、所定間隔で繋部が設けられており、切出部７の半切線９は、図２に示すように、破止線１０を下方から斜めに横切るように延びている。
【００１６】
このような段ボール箱で包装した缶ビールを店頭で陳列する際には、切出部７を全切線８の切目から押し込んで摘まみ、図３に示すように、カットテープ６を引いて立面板１及び内フラップ４を切断する。
【００１７】
このとき、カットテープ６の下方では、表ライナが半切線９から破止線１０へかけて所定の位置で直線的に切断され、段ボールの表層剥離が防止される。
【００１８】
従って、この段ボール箱では、図４に示すように、トレー状とした開封状態において、ビールの缶Ｃを見栄えよく陳列でき、商品の品質感を高め、販売促進効果の向上を期待することができる。
【００１９】
また、製造時に、破止線１０と切出部７の全切線８及び半切線９とは別工程で入れられるが、これらの位置がずれても、半切線９が必ず破止線１０に達しているので、表層剥離の防止効果を確実に得ることができる。
【００２０】
そのほか、半切線９を入れる際、切刃は段ボールの裏面にまで達しないので、カットテープ６に切刃が入ることがなく、開封時にカットテープ６が千切れて開封不能になるようなことがない。
【００２１】
なお、破止線１０は、カットテープ６の下方に加えて上方にも設けるようにすれば、カットテープ６の上方における表層剥離も防止されるが、段ボール箱の上方部分は陳列時に除去されるので、積上時における圧縮強さを重視するならば、このような破止線１０を設ける必要はない。
【００２２】
また、切裂帯として、カットテープ６に代えて、図５に示すように、裏ライナをカットした２本の切裂線１１を設けてもよく、この場合、切裂線１１が破止線１０の外側に位置するようにしておくと、トレー状とした開封状態において、切断部に段ボールの破れた部分が全く露出しないので、美しい外観が得られる。
【００２３】
次に、上記のような段ボール箱を製造する方法について説明する。
【００２４】
この段ボール箱の材料となる段ボールシートは、図６に示すようなコルゲータで製造する。このコルゲータは、シングルフェーサ２１、ダブルフェーサ２２、テープ貼着部２３、スリッタ２４、カッタ２５及びスタッカ２６を備えている。
【００２５】
このコルゲータのシングルフェーサ２１では、裏ライナ２７の原紙を、段ロールで段付けした中芯２８と貼り合わせ、ダブルフェーサ２２では、中芯２８の段頂に表ライナ２９の原紙を張り合わせる。
【００２６】
テープ貼着部２３では、カットテープ６を裏ライナ２７に貼り付け、スリッタ２４では、段ボールを送り方向に切断し、カッタ２５では、段ボールを送り方向に直角に切断し、スタッカ２６では、切断後の段ボールシートＳを積み重ねる。
【００２７】
また、ダブルフェーサ２２には、ライナカッタ３０が設けられており、このライナカッタ３０により、表ライナ２９を中芯２８に貼着する前に、表ライナ２９に上述の破止線１０を入れる。
【００２８】
このような段階で破止線１０を入れると、表ライナ２９のみが切断され、中芯２８の段頂部が切断されることがないので、段ボール箱の圧縮強度の低下が抑制される。
【００２９】
このとき、表ライナ２９の表側から、あまり強く押すことなく切り込んで破止線１０を入れると、破止線１０の繋部が割れにくいので、段ボール箱の圧縮強度の低下を確実に抑制できる。
【００３０】
また、製造時の切込深さのばらつきにより、表ライナ２９の裏側まで切れていなくても、表ライナ２９の表層さえ切れておれば、破止線１０の機能を果たすため、不良の発生によるロス率を低下させることができる。
【００３１】
上記のように製造した段ボールシートＳは、図７に示すように、給紙部３１、三色の印刷部３２及びダイカット部３３とを備えた印刷機に供給する。
【００３２】
この印刷機の給紙部３１では、給紙台３４に積み上げた段ボールシートＳをキッカ３５で押して一枚ずつ送り出し、各印刷部３２では、印刷シリンダ３６と受けシリンダ３７の間に挟んだ段ボールシートＳの表面に印刷を施す。
【００３３】
ダイカット部３３では、ダイカットロール３８に押刃３９を取り付け、ダイカットロール３８とアンビルロール４０の間に挟んだ段ボールシートＳに押刃３９を押し付けて、段ボールシートＳの裏面に押罫線ａを入れる。
【００３４】
このように印刷及び罫入れを施した段ボールシートＳは、次に、独立したダイカッタに供給する。このダイカッタは、図８に示すように、上枠４１に対して下枠４２が昇降し、上枠４１にセットする抜型４３が下枠４２の鉄板４４に向き合うようになっている。
【００３５】
ここで、まず第１の製造方法では、抜型４３にブランク外周を打ち抜く切刃４５と、切出部７の全切線８を入れる切刃４６と、半切線９を入れる切刃４７とを植え込んでおく。
【００３６】
そして、下枠４２を上昇させ、表側から段ボールシートＳを打ち抜くことにより、上記段ボール箱のブランクを形成する。
【００３７】
次に、第２の製造方法では、上記第１の製造方法のように、印刷機のダイカット部３３で押罫線ａを入れることなく、図９に示すように、下枠４２の鉄板４４に凸部を有する樹脂製の押具４８を取り付け、抜型４３に切刃４５，４６，４７と共に、凹部を有するスチール製の受具４９を植え込んでおく。
【００３８】
そして、下枠４２の上昇に伴い、段ボールシートＳの表側から切刃４５でブランク外周を打ち抜くと共に、切刃４６，４７で切出部７の全切線８及び半切線９を入れ、段ボールシートＳを押具４８と受具４９とで挟みつけるようにして押罫線ａを入れる。
【００３９】
次に、第３の製造方法では、図１０に示すように、ダイカッタにおいて、一般の段ボール箱を製造する場合と同様、段ボールシートＳの裏側を上に向け、抜型４３に切刃４５，４６と共に、押刃５０を植え込んでおく。
【００４０】
また、下枠４２の鉄板４４に背の低い切刃５１を貼り付け、抜型４３にスチール製の受具５２を植え込んでおき、切刃５１の両側に、段ボールシートＳの移送を妨げないようにテーパー状としたスポンジ５３を貼り付けておく。
【００４１】
このスポンジ５３により、段ボールシートＳが移送時に切刃５１に接触して傷つく現象が防止され、打抜後の切刃５１の抜け出しに伴う段ボールシートＳのはみ出しが防止される。
【００４２】
そして、下枠４２の上昇に伴い、段ボールシートＳの裏側から切刃４５でブランク外周を打ち抜き、切刃４６で切出部７の全切線８を、押刃５０で押罫線ａを入れ、切刃５１と受具５２とで段ボールシートＳの表側に半切線９を入れる。
【００４３】
この第３の製造方法では、半切線９が短いことから、抜型４３への受具５２の植え込みが容易であり、下枠４２の鉄板４４への切刃５１の貼り付けは、治具を使用して、自動的に位置決めして行うことができる。
【００４４】
また、ブランク外周に対する押罫線ａの位置がずれる恐れもなく、精度の高いブランクを製造することができる。
【００４５】
なお、上記各製造方法では、コルゲータで破止線１０を入れることとしているが、図５に示すような切裂線１１をコルゲータで裏ライナに入れる場合には、印刷機のダイカットロール又は他の専用ダイカッタで表ライナを切断して破止線１０を入れるようにしてもよい。
【００４６】
【発明の効果】
以上説明したように、この発明に係る段ボール箱では、切出部から切裂帯を引っ張ると、表ライナが半切線から破止線へかけて所定の位置で切断され、段ボールの表層剥離が防止されるので、トレー状態や壁面の一部を切り取った状態で、見栄えよく商品を陳列でき、商品の品質感を高め、販売促進効果の向上を期待することができる。
【００４７】
また、製造時に破止線と切出部の位置がずれても、半切線が破止線に達しているので、表層剥離の防止効果を確実に得ることができ、半切線は段ボールの裏面まで達しないので、開封時に切裂帯が千切れやすくなることもない。
【００４８】
また、この段ボール箱は、コルゲータや印刷機のダイカットロール等で破止線を入れ、ダイカッタの抜型やその対向面に切刃等を取り付けて切出部の全切線や半切線を入れることにより、容易に製造できる。
【図面の簡単な説明】
【図１】この発明に係る切裂帯付き段ボール箱を示す斜視図
【図２】同上の切裂帯及び切出部の拡大図
【図３】同上の段ボール箱の開封過程を示す斜視図
【図４】同上のトレー状の開封状態を示す斜視図
【図５】同上の切裂帯及び切出部の他例の拡大図
【図６】上記段ボール箱の製造に使用するコルゲータの概略図
【図７】同上の印刷機の概略図
【図８】同上の第１の製造方法に係るダイカッタの概略図
【図９】同上の第２の製造方法に係るダイカッタの概略図
【図１０】同上の第３の製造方法に係るダイカッタの概略図
【図１１】従来の切裂帯付き段ボール箱を示す斜視図
【図１２】同上の段ボール箱の開封過程を示す斜視図
【図１３】同上のトレー状の開封状態を示す斜視図
【符号の説明】
１  立面板
２  平面板
３  継代
４  内フラップ
５  外フラップ
６  カットテープ
７  切出部
８  全切線
９  半切線
１０  破止線
２２  ダブルフェーサ
３０  ライナカッタ
３８  ダイカットロール
４３  抜型
４５，４６，４７  切刃
４８  押具
４９  受具
５０  押刃
５１  切刃
５２  受具
【図１】
0003822505.tif 000002
【図２】
0003822505.tif 000003
【図３】
0003822505.tif 000004
【図４】
0003822505.tif 000005
【図５】
0003822505.tif 000006
【図６】
0003822505.tif 000007
【図７】
0003822505.tif 000008
【図８】
0003822505.tif 000009
【図９】
0003822505.tif 000010
【図１０】
0003822505.tif 000011
【図１１】
0003822505.tif 000012
【図１２】
0003822505.tif 000013
【図１３】
0003822505.tif 000014